(57)【特許請求の範囲】
【請求項１】
釣糸の繰り出しで回転する回転体が、釣糸が巻回される巻回胴部と、巻回胴部に巻回される釣糸の前後を規定する環状鍔部及びスカート部とを備えたスピニングリールのスプールであり、
前記環状鍔部の前方に環状の壁部を形成すると共に、前記環状の壁部の内側に、化学発光体で形成される発光体を外部に突出することなく着脱可能に収容保持する凹状の溝部からなる収容部を形成し、
前記環状の壁部に、前記収容部に収容保持される前記発光体の位置に対応して、その発光体を外部から視認可能にする視認部が形成されていることを特徴とする魚釣用リール。
【発明の詳細な説明】
【０００１】
【発明の属する技術分野】
本発明は、釣糸が巻回されるスプールを備え、魚が掛かって釣糸が引かれることでスプールが逆回転した際、その状態を釣人に知らせる報知装置を備えた魚釣用リールに関する。
【０００２】
【従来の技術】
従来、実釣時に、スプールの逆回転を報知する報知装置を備えた魚釣用リールが知られている。この報知装置は、魚が掛かったことによってスプールが逆回転した際、その逆回転状態を釣人に知らせるものであり、例えば、実開昭５９−３８７７０号に開示されている構成が知られている。
【０００３】
この公報には、魚釣用リールとしてスピニングリールが開示されており、報知装置は、スプールの回転を無接触で検出する磁気センサを具備し、この磁気センサからの検出信号に基づいて、音響及び発光体等の報知器を作動させて逆回転状態を報知するようにしている。
【０００４】
具体的には、スプールの後側円筒部内に、発光体と磁気センサを有するケースをネジで装着固定し、前記磁気センサに、スプール軸に固定した支持部の磁石を対向配置させることで報知装置が構成されており、スプールが逆回転した際に、磁気センサの磁力変化を電気信号に変換して報知器が作動するように構成されている。
【０００５】
【発明が解決しようとする課題】
しかし、前記報知装置は、スプール軸の支持部とスプール後側円筒部との間に装着されるため、リール全体が軸方向に大型化してしまう。また、スプール回転検出機構（磁気センサ、磁石）を回転・非回転部在間に配設していることで、構造が複雑化すると共に、部品点数も多くなってしまい、回転体を構成するスプール全体が大型、重量化してしまう。さらに、これによってスプールの回転性が悪くなると共に、部品の新規交換及びメンテナンス性にも劣る等の問題がある。
【０００６】
この発明は、上記問題に基づいて成されたものであり、スプールの逆回転を報知する報知装置を組み込んだ魚釣用リールにおいて、スプールを含めたリール全体が大型、複雑化することのない魚釣用リールを提供することを目的とする。
【０００７】
【課題を解決するための手段】
前記課題を解決するために、本発明に係る魚釣用リールは、釣糸の繰り出しで回転する回転体が、釣糸が巻回される巻回胴部と、巻回胴部に巻回される釣糸の前後を規定する環状鍔部及びスカート部とを備えたスピニングリールのスプールであり、前記環状鍔部の前方に環状の壁部を形成すると共に、前記環状の壁部の内側に、化学発光体で形成される発光体を外部に突出することなく着脱可能に収容保持する凹状の溝部からなる収容部を形成し、前記環状の壁部に、前記収容部に収容保持される前記発光体の位置に対応して、その発光体を外部から視認可能にする視認部が形成されていることを特徴としている。
【０００８】
なお、上記した構成に関し、「化学発光体」とは、スプール等の回転体の回転動作とは関係なく、それ自身で発光する小型、軽量なものを意味しており、具体的には、蛍光液と活性化剤を含んでこれらを混合させることで発光するものが該当する。また、本発明に係る「魚釣用リール」とは、両軸受型リールやスピニングリール等、釣糸が巻回されるスプールを備えた構造のものが該当する。
【０００９】
【発明の実施の形態】
図１〜図７は、本発明に係る魚釣用リールの一実施形態を示す図である。
【００１０】
この実施形態は、図１に示すように、スピニングリールを対象としたものである。スピニングリール１は、リールボディ２に対して回転可能に支持されたロータ３と、前後動可能に支持され、釣糸が巻回されるスプール５とを備えており、これらは、リールボディ２に回転可能に支持されたハンドル７を回転操作することによって、リールボディ内２に配設された駆動機構を介して駆動されるようになっている。
【００１１】
前記ロータ３には、一対のベール支持腕３ａが設けられており、各支持腕の先端には、釣糸巻取り位置と放出位置との間で回動可能なベール支持部材３ｂが設けられている。そして、一方のベール支持部材には、釣糸案内部材（図示せず）が設けられており、釣糸は、ハンドル７を巻取り操作した際、ロータの回転と共に回転する釣糸案内部材によって案内され、前後動するスプール５に均等に巻回される。なお、スプール５は、リールボディ２の後端部に設けられたドラグ機構のドラグノブ９を調節することによって、所定の制動力をもって回転可能に支持されている。
【００１２】
図２〜図４は、上記スプール５を拡大して示す図であり、図２は、側面図、図３は、環状鍔部の一部を切欠いて示す側面図、図４は、環状鍔部の一部を切欠いて示す正面図である。また、図５〜図７は、図２〜図４における要部をさらに拡大して示す図である。
【００１３】
スプール５は、釣糸が巻回される巻回胴部１０と、巻回胴部に巻回される釣糸の前後を規定する前方規制部（環状鍔部）１１及び後方規制部（スカート部）１２とを備えている。
【００１４】
前記環状鍔部１１には、前方に突出するようにして環状の壁部１１ａが一体的に形成されており、この環状壁部１１ａによって規定される凹部内には、前記環状壁部１１ａと所定間隔おいて対向する環状支持部１４ａを有するキャップ１４が配設されている。なお、このキャップ１４の中央領域には、押圧式の押しボタン１５が設けられており、この押しボタン１５を押圧操作することで、スプール５をリールボディ２から着脱できるようになっている。
【００１５】
前記環状壁部１１ａとキャップ１４の環状支持部１４ａによって、凹状の溝部１６が環状に連続して形成されている。そして、この凹状の溝部１６には、図６及び図７に示すように、発光体Ｐが収容保持されるようになっている。この発光体Ｐは、上述したように、スプール５の回転動作とは関係なく、それ自身で発光可能なものであり、本実施形態では、弾性変形可能な円柱状の樹脂容器内に、蛍光液と、活性化剤を封入したガラス容器とを含んで構成されている。このように構成された発光体Ｐは、凹状の溝部１６に収容する前に、折り曲げることで内部のガラス容器を割って活性化剤と蛍光液を混合させ、それ自身が発光するようになっており、これを弾性変形させて溝部１６内に収容保持させる。
【００１６】
また、前記環状壁部１１ａには、発光体Ｐが収容される位置に対応して、その発光体を外部から視認できるように、視認部が形成されている。この場合、本実施形態では、スプールの回転バランスが低下しないように、発光体Ｐを１８０度間隔で二箇所に収容するようにしており、各視認部は、図５に示すように、所定間隔をおいた３つの丸孔１８によって構成されている。
【００１７】
上述したように、スプール５に形成されている環状鍔部１１の環状壁部１１ａの内側に収容部（凹状の溝部１６）を形成し、ここに、それ自身で発光する発光体Ｐを収容保持させ、かつ外部から視認部を介して視認できるようにしているため、発光部分の構成が簡略化されて、リール全体を嵩張らず、コンパクトにすることが可能となる。
【００１８】
また、上記した構成では、収容部を凹状の溝部として構成しているため、前面側からの着脱操作が容易に行なえると共に、溝内に収容することから、発光体の外部への突出も防止でき、発光体を十分に保護することが可能となる。しかも、発光部分はリールの最前側にあることから、釣糸繰り出し中における発光体の視認性も良い。
【００１９】
さらに、発光体として、軽量でコンパクトに構成できる化学発光体を用いているため、スプールの回転機能に支障をきたすことはなく、かつ、これにより収容部をより簡素化することができるため、スプールの大型、重量化が防止できる。また、化学発光体を用いていることから長時間の暗闇でも視認性が良好であり、発光寿命がきた際にも、釣り場で新規な発光体への交換が容易に行なえる。
【００２０】
図８〜図１０は、図５〜図７に対応して上記した実施形態の変形例を示す図であり、それぞれ、スプールの発光部分を拡大して示す図、スプールの発光部分を拡大して示す断面図、およびスプールの発光部分を拡大して示す正面図である。
【００２１】
前記実施形態では、視認部を、環状壁部に所定間隔をおいた形成された丸孔によって構成したが、この変形例では、環状壁部を透明のリングカバー１１ｂとして成形しておき、これを環状鍔部１１の前面に装着することで構成している。
【００２２】
このような構成によれば、発光体Ｐから発光される光は、リングカバー１１ｂ内に伝播して行くため、その視認性がより向上するようになる。
【００２３】
図１１〜図１３は、図５〜図７に対応して上記した実施形態の第２の変形例を示す図であり、それぞれ、スプールの発光部分を拡大して示す図、スプールの発光部分を拡大して示す断面図、およびスプールの発光部分を拡大して示す正面図である。
【００２４】
この変形例は、前記実施形態と同様、環状鍔部１１に環状壁部１１ａを一体的に形成すると共に、発光体Ｐが収容されるように、環状壁部１１ａと対向する収容支持部１１ｃを一体的に形成している。この場合、環状壁部１１ａと収容支持部１１ｃは、図１３に示すように、両端部において互いに接近するように湾曲しており、これにより凹状の溝部となる収容部２６が規定されている。また、発光体Ｐを視認するための視認部は、環状壁部１１ａに形成される２つの長孔１８ａによって構成されている。
【００２５】
上記した構成によれば、収容される発光体Ｐの形状に合わせ凹状の溝部２６が形成されるため、発光体Ｐを安定して収容、保持することが可能となり、環状鍔部１１のみによって収容部を形成することから、フロントドラグ方式のドラグノブ２４を配設することが可能となる。また、視認部を長孔１８ａで構成したことによって、外部に漏れる光量が多くなり、視認性の向上が図れる。
【００２６】
【発明の効果】
以上、本発明の構成によれば、スプールを含めたリール全体が大型、複雑化することなく、スプールの逆回転を報知する報知装置を組み込んだ魚釣用リールを提供することが可能となる。特に、本発明は、スピニングリールの環状鍔部の前方に形成された環状の壁部の内側に、凹状の溝部からなる収容部を形成しているため、発光体を前面側から容易に着脱できると共に、溝内に収容することから、発光体の外部への突出も防止でき、発光体を十分に保護することが可能となる。しかも、発光部分はリールの最前側にあることから、釣糸繰り出し中における発光体の視認性も良い。
【図面の簡単な説明】
【図１】  本発明の一実施形態を示す図であり、魚釣用リール（スピニングリール）の全体構成を示す図。
【図２】  図１に示す魚釣用リールのスプール部分の側面図。
【図３】  図１に示す魚釣用リールのスプール部分を示しており、環状鍔部の一部を切欠いて示す側面図。
【図４】  図１に示す魚釣用リールのスプール部分を示しており、環状鍔部の一部を切欠いて示す正面図。
【図５】  図２において、発光体部分を拡大して示す図。
【図６】  図３において、発光体部分を拡大して示す図。
【図７】  図４において、発光体部分を拡大して示す図。
【図８】  第１の変形例を示す図であり、スプールの発光体部分を拡大して示す図。
【図９】  第１の変形例において、スプールの発光体部分を拡大して示す断面図。
【図１０】  第１の変形例において、スプールの発光体部分を拡大して示す正面図。
【図１１】  第２の変形例を示す図であり、スプールの発光体部分を拡大して示す図。
【図１２】  第２の変形例において、スプールの発光体部分を拡大して示す断面図。
【図１３】  第２の変形例において、スプールの発光体部分を拡大して示す正面図。
【符号の説明】
１  スピニングリール（魚釣用リール）
３  ロータ
５  スプール
１１  環状鍔部
１１ａ  環状壁部
１１ｂ  リングカバー
１６  凹状の溝
１８  丸孔
１８ａ  長孔
Ｐ  発光体
【図１】
0003942821.tif 000002
【図２】
0003942821.tif 000003
【図３】
0003942821.tif 000004
【図４】
0003942821.tif 000005
【図５】
0003942821.tif 000006
【図６】
0003942821.tif 000007
【図７】
0003942821.tif 000008
【図８】
0003942821.tif 000009
【図９】
0003942821.tif 000010
【図１０】
0003942821.tif 000011
【図１１】
0003942821.tif 000012
【図１２】
0003942821.tif 000013
【図１３】
0003942821.tif 000014